(57)【特許請求の範囲】
【請求項１】
撮影画像と付加情報とを合わせて記録するカメラにおいて、
撮影場所を特定する場所情報を取得する第１の取得手段と、
外部から放送により送られてくる情報を受信する受信手段と、
前記受信手段により受信可能な複数の情報であり、放送されている複数の情報の中から前記第１の取得手段により取得された場所情報に対応する情報を選択する選択手段と、
前記選択手段により選択された情報を前記受信手段により選択的に受信させることにより、前記撮影場所に対応する情報を取得する第２の取得手段と、
この第２の取得手段により取得された情報を前記付加情報として前記撮影画像と合わせて記録する記録手段と
を備えたことを特徴とするカメラ。
【請求項２】
前記第１の取得手段が取得する場所情報と地名とが対応して記憶された地名記憶手段と、
この地名記憶手段から、前記第１の取得手段により取得された場所情報に対応する地名を呼び出す呼出手段とを備え、
前記受信手段は、複数の地名の各々に対応する複数の情報を外部から受信可能であり、
前記選択手段は、前記複数の地名の各々に対応する複数の情報の中から、前記呼出手段により呼び出された地名に対応する情報を選択し、
前記第２の取得手段は、前記選択手段により選択された情報を前記受信手段により選択的に受信させることにより、前記撮影場所の地名に対応する情報を取得することを特徴とする請求項１記載のカメラ。
【請求項３】
前記場所情報は緯度経度情報であることを特徴とする請求項１又は２記載のカメラ。
【請求項４】
前記関係情報は、ＦＭ放送波に多重化されて送信されてくる文字情報であることを特徴とする請求項１，２，３記載のカメラ。
【請求項５】
前記撮影画像に前記付加情報を反映させる合成手段を備え、
前記記録手段は、前記合成手段により前記付加情報が合成された画像を記録することを特徴とする請求項１，２，３，４記載のカメラ。
【請求項６】
外部から放送により送られてくる情報を受信する受信手段と、撮影画像と付加情報とを合わせて記録する撮影記録手段とを有するカメラの画像記録方法において、
撮影場所を特定する場所情報を取得し、この取得された場所情報に対応する情報を前記受信手段により受信可能な複数の情報であり、放送されている複数の情報の中から選択し、この選択された情報を前記受信手段により選択的に受信させることにより、前記撮影場所に対応する情報を取得した後、取得した情報を前記付加情報として撮影画像と合わせて記録することを特徴とする画像記録方法。
【請求項７】
場所と関係する関係情報を送信する送信局と、撮影画像と付加情報とを合わせて記録するカメラとからなるシステムであって、
前記送信局は、異なる場所に対応する複数の情報に対して場所を特定する場所情報を付加して放送により送信する構成を備え、
前記カメラは、前記送信局から放送により送られてくる前記場所情報が付加された情報を受信する受信手段と、
撮影場所を特定する場所情報を取得する第１の取得手段と、
前記受信手段により受信可能な複数の情報であり、放送されている複数の情報の中から前記第１の取得手段により取得された場所情報に対応する情報を選択する選択手段と、
前記選択手段により選択された前記場所情報に対応する情報を、該場所情報が付加された情報を前記受信手段により選択的に受信させることにより取得する第２の取得手段と、
この第２の取得手段により取得された情報を前記付加情報として前記撮影画像と合わせて記録する記録手段と
を備えたことを特徴とする付加情報記録システム。
【請求項８】
前記受信手段は、天気情報を含む複数の情報を外部から受信可能であり、
前記選択手段は、前記複数の情報の中から、更に天気情報を選択し、
前記第２の取得手段は、前記選択手段により選択された場所情報および天気情報に対応する情報を前記受信手段により選択的に受信させることにより、前記撮影場所に対応する天気情報を取得し、
前記記録手段は、前記第２の取得手段により取得された天気情報を前記付加情報として前記撮影画像と合わせて記録することを特徴とする請求項１記載のカメラ。
【請求項９】
前記選択手段により選択された情報が前記第２の取得手段によって取得されたか否かを判断する判断手段を更に備え、
前記第２の取得手段は、前記判断手段により前記選択手段により選択された情報が取得されなかったと判断された場合は、予め記憶されている情報の中から前記撮影場所に対応する情報を取得することを特徴とする請求項１記載のカメラ。
【発明の詳細な説明】
【０００１】
【発明の属する技術分野】
本発明は、撮影画像と付加情報とを合わせて記録するカメラ及び画像記録方法、付加情報記録システムに関する。
【０００２】
【従来の技術】
従来、撮影画像を銀塩フィルムに記録する銀塩カメラ、撮影画像をメモリに記録するデジタルカメラにおいては、撮影画像に加えて撮影日付や時刻、あるいはシャッタースピードや絞り値といった撮影データ等を、付加情報として撮影画像と合わせて記録できるものがある。付加情報の記録方法としては、それを撮影画像に映し込む（合成する）方法が一般的であり、さらにデジタルカメラにあっては、付加情報を撮影画像に対応させてメモリに記録しておき、画像をカメラ本体やパソコン等で表示する時点で付加情報を合成したりできるものもある。また、アドバンスド・フォト・システム（ＡＰＳ）に対応する銀塩カメラでは、銀塩フィルムに設けられたデータ・トラックに露出条件等の種々の撮影データを記録するようになっている。
【０００３】
【発明が解決しようとする課題】
しかしながら、従来記録が可能であった付加情報は、画像の撮影場所とは全く関係のない情報であることから、例えば撮影後に画像を見て楽しむ際の利用価値があまり高いとはいえなかった。
【０００４】
本発明は、かかる従来の課題に鑑みてなされたものであり、撮影後における撮影画像の付加価値を高めることができるカメラ及び画像記録方法、付加情報記録システムを提供することを目的とする。
【０００５】
【課題を解決するための手段】
前記課題を解決するために請求項１のカメラにあっては、撮影画像と付加情報とを合わせて記録するカメラにおいて、撮影場所を特定する場所情報を取得する第１の取得手段と、外部から放送により送られてくる情報を受信する受信手段と、前記受信手段により受信可能な複数の情報であり、放送されている複数の情報の中から前記第１の取得手段により取得された場所情報に対応する情報を選択する選択手段と、前記選択手段により選択された情報を前記受信手段により選択的に受信させることにより、前記撮影場所に対応する情報を取得する第２の取得手段と、この第２の取得手段により取得された情報を前記付加情報として前記撮影画像と合わせて記録する記録手段とを備えたことを特徴とする。
【０００７】
また、請求項２のカメラにあっては、更に、前記第１の取得手段が取得する場所情報と地名とが対応して記憶された地名記憶手段と、この地名記憶手段から、前記取得手段により取得された場所情報に対応する地名を呼び出す呼出手段とを備え、前記受信手段は、複数の地名の各々に対応する複数の情報を外部から受信可能であり、前記選択手段は、前記複数の地名の各々に対応する複数の情報の中から、前記呼出手段により呼び出された地名に対応する情報を選択し、前記第２の取得手段は、前記選択手段により選択された情報を前記受信手段により選択的に受信させることにより、前記撮影場所の地名に対応する情報を取得することを特徴とする。
【０００８】
また、請求項３のカメラにあっては、前記場所情報は緯度経度情報であるものとした。かかる構成においては、撮影に伴い、撮影場所と密接な内容の付加情報が、撮影場所の位置を示す緯度経度情報に基づき取得され、撮影画像と合わせて記録される。
【０００９】
また、請求項４のカメラにあっては、前記関係情報は、ＦＭ放送波に多重化されて送信されてくる文字情報であるものとした。かかる構成においては、撮影に伴い、ＦＭ放送波に多重化されて送信された撮影場所と密接な内容の付加情報が撮影画像と合わせて記録される。
【００１０】
また、請求項５のカメラにあっては、前記撮影画像に前記付加情報を反映させる合成手段を備え、前記記録手段は、前記合成手段により前記付加情報が合成された画像を記録するものとした。かかる構成においては、撮影に伴い、撮影場所と密接な内容の付加情報が撮影画像に映し込まれた状態で記録される。
【００１１】
また、請求項６の画像記録方法にあっては、外部から放送により送られてくる情報を受信する受信手段と、撮影画像と付加情報とを合わせて記録する撮影記録手段とを有するカメラの画像記録方法において、撮影場所を特定する場所情報を取得し、この取得された場所情報に対応する情報を前記受信手段により受信可能な複数の情報であり、放送されている複数の情報の中から選択し、この選択された情報を前記受信手段により選択的に受信させることにより、前記撮影場所に対応する情報を取得した後、取得した情報を前記付加情報として撮影画像と合わせて記録することを特徴とする。
【００１２】
また、請求項７の付加情報記録システムにあっては、場所と関係する関係情報を送信する送信局と、撮影画像と付加情報とを合わせて記録するカメラとからなるシステムであって、前記送信局は、異なる場所に対応する複数の情報に対して場所を特定する場所情報を付加して放送により送信する構成を備え、前記カメラは、前記送信局から放送により送られてくる前記場所情報が付加された情報を受信する受信手段と、撮影場所を特定する場所情報を取得する第１の取得手段と、前記受信手段により受信可能な複数の情報であり、放送されている複数の情報の中から前記第１の取得手段により取得された場所情報に対応する情報を選択する選択手段と、前記選択手段により選択された前記場所情報に対応する情報を、該場所情報が付加された情報を前記受信手段により選択的に受信させることにより取得する第２の取得手段と、この第２の取得手段により取得された情報を前記付加情報として前記撮影画像と合わせて記録する記録手段とを備えたことを特徴とする。
【００１３】
また、請求項８のカメラにあっては、前記受信手段は、天気情報を含む複数の情報を外部から受信可能であり、前記選択手段は、前記複数の情報の中から、更に天気情報を選択し、前記第２の取得手段は、前記選択手段により選択された場所情報および天気情報に対応する情報を前記受信手段により選択的に受信させることにより、前記撮影場所に対応する天気情報を取得し、前記記録手段は、前記第２の取得手段により取得された天気情報を前記付加情報として前記撮影画像と合わせて記録することを特徴とする。
【００１４】
また、請求項９のカメラにあっては、更に、前記選択手段により選択された情報が前記第２の取得手段によって取得されたか否かを判断する判断手段を更に備え、前記第２の取得手段は、前記判断手段により前記選択手段により選択された情報が取得されなかったと判断された場合は、予め記憶されている情報の中から前記撮影場所に対応する情報を取得することを特徴とする。
【００１５】
【発明の実施の形態】
［第１の実施の形態］
以下、本発明の一実施の形態を図にしたがって説明する。図１は、本発明にかかるデジタルカメラ１の概略を示すブロック構成図である。
【００１６】
すなわちデジタルカメラ１は、図示しない光学系により結像された被写体像を撮像し撮像信号として出力するＣＣＤ２を有するとともに、撮像した画像をＪＰＥＧ形式に変換する等の画像処理機能を備えたＭＰＵ３を中心に構成されている。ＭＰＵ３には、タイミング信号を発生するＴＧ（Timming Generater ）４が接続されており、ＴＧ４が発生したタイミング信号に基づきＶドライバー５（垂直方向ドライバー）がＣＣＤ２を駆動し、それに伴いＣＣＤ２により被写体像の輝度に応じたアナログの撮像信号が出力されユニット回路６へ送られる。ユニット回路６は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２の出力信号は、ここで黒レベルを合わせてサンプリングされデジタル信号としてＭＰＵ３に送られる。送られたデジタル信号（撮像信号）はＤＲＡＭ７に一時保存されるとともに、ＭＰＵ３によって各種の画像処理が施された後、最終的には圧縮された映像信号としてフラッシュメモリ（ＦＬＡＳＨ）８に保存される。保存された映像信号は、必要に応じてＭＰＵ３に読み出され、伸長処理、輝度信号及び色信号の付加等の処理を経てデジタルビデオ信号やアナログビデオ信号に生成される。
【００１７】
また、ＭＰＵ３には、ＭＰＵ３の動作プログラムが格納されたＲＯＭ９と、ＭＰＵ３のワーキングメモリとして使用されるＲＡＭ１０、キー入力部１１、ＴＦＴ液晶モニター１２、ＦＭ多重受信部１３、ＧＰＳモジュール１４、地名メモリ１５、時計部１６が接続されている。キー入力部１１は、具体的には電源キー、録画モード（ＲＥＣモード）と再生モード（ＰＬＡＹモード）の切り替え行うモード切り替えキー、録画モードにおいシャッターとして機能する映像取り込みキー等の各種キーによって構成されている。ＴＦＴ液晶モニター１２は、録画モードには撮影時のスルー画像を表示し、再生モードにおいては前記フラッシュメモリ８に記録された画像を表示する。ＦＭ多重受信部１３は、ＦＭアンテナ１７により受けたＦＭ放送電波を受信し、それに多重化され送られてくる所定の文字放送番組（本実施の形態では天気情報チャンネル）の内容を復調し出力する。なお、ＦＭ多重受信部１３から出力される文字情報は、その受信に際して前記ＲＡＭ１０にいったん蓄えられるようになっている。
【００１８】
ＧＰＳモジュール１４は、ＧＰＳアンテナ１８により受信した衛星からのＬ１帯のＣ／Ａコード（ＧＰＳデータ）を復調・解読して現在位置の緯度／経度を割り出し、割り出された緯度／経度情報等をＭＰＵ３へ送る。前記地名メモリ１５は、緯度／経度データと地名データとが対応して記憶されたＲＯＭである。地名データは、主として都道府県名や都市名、地方名、観光名所、高速道路のＩＣ・ＳＡ・ＰＡ、駅名等の特定の地域や特定の場所を示す名称で構成されており、かかる地名データは撮影に伴いＭＰＵ３によって読み出される。なお、本実施の形態では地名メモリ１５をＲＯＭとしたが、ＣＤ−ＲＯＭドライブ及び車載用等のナビゲーション装置に用いられる地図ＣＤ−ＲＯＭによる構成としてもよく、更には地名メモリ１５をＲＡＭとし、無線放送や通信回線を介して受信した緯度・経度データと地名データを記憶したり、或いはパソコン等の他の機器からデータを供給される構成としてもよい。また、時計部１６は、時刻とともに日付のカウントが可能なカレンダ機能を備え、必要に応じて日付データ及び時刻データをＭＰＵ３へ送る。
【００１９】
次に、以上の構成からなるデジタルカメラ１の撮影処理に関する動作を、図２のフローチャートに従って説明する。すなわちデジタルカメラ１は電源がオン操作されることにより動作を開始し、シャッターが押下されたら（ステップＳＡ１でＹＥＳ）、画像取り込みを行い、ＣＣＤ２により撮像されてデジタル化された撮影画像データを一旦ＤＲＡＭ７に記憶する（ステップＳＡ２）。次に、ＧＰＳモジュール１４によりＧＰＳデータが受信できれば（ステップＳＡ３でＹＥＳ）、緯度／経度、高度、年月日、時分の各データを検出（解読）し、ＲＡＭ１０に記憶する（ステップＳＡ４）。さらに、検出した緯度／経度をキーとして地名メモリ１５に記憶されている地名データを検索する。緯度／経度に対応する地名データが検索できたら（ステップＳＡ５でＹＥＳ）、引き続き、ＦＭ多重受信部１３によって文字放送番組の天気情報チャンネルを選択するとともに、ステップＳＡ５で検索した地名データに対応する地域の天気情報を受信する。そして、該当する地域の天気情報が受信できたら（ステップＳＡ６でＹＥＳ）、ＧＰＳモジュール１４により受信した年月日データ及び時分データと、前述した天気情報の受信時に使用した地名データと、天気情報すなわち文字データとを、ステップＳＡ２でＤＲＡＭ７に記憶しておいた撮影画像データに合成する処理を行い、撮影画像の所定位置（図３参照）に前記各データを映し込んだ画像をフラッシュメモリ８に記録し（ステップＳＡ７）、撮影処理を終了する。
【００２０】
これにより、図３に示したように、撮影画像Ａの一部に、撮影年月日及び時刻Ｂと、撮影場所Ｃと、その撮影場所のその日の天気Ｄすなわち撮影場所と密接な内容の関係情報とからなる付加情報が映し込まれた画像が、シャッターを押すだけで自動的に得られる。したがって、撮影した画像を見る際の楽しみが増え、撮影後における撮影画像の付加価値を高めることが可能となる。
【００２１】
一方、前述した処理の途中において、ＧＰＳモジュール１４によってＧＰＳデータが受信できなかったときには（ステップＳＡ３でＮＯ）、時計部１６により得られる年月日及び時分のみを撮影画像に映し込み、その画像をフラッシュメモリ８に記録し（ステップＳＡ８）、撮影処理を終了する。また、緯度／経度に対応する地名データが地名メモリ１５に存在しなかったときには（ステップＳＡ５でＮＯ）、ＧＰＳモジュール１４によって検出した年月日及び時分、緯度／経度、高度を撮影画像に映し込み、その画像をフラッシュメモリ８に記録し（ステップＳＡ９）、撮影処理を終了する。また、地名メモリ１５で検索した地名（地域）に該当する天気情報が受信できなかったときには（ステップＳＡ６でＮＯ）、ＧＰＳモジュール１４によって検出した年月日及び時分と、地名メモリ１５から検索した地名を撮影画像に映し込み、その画像をフラッシュメモリ８に記録し（ステップＳＡ１０）、撮影処理を終了する。
【００２２】
ここで、本実施の形態においては、撮影時点で、撮影場所のその日の天気情報等の各付加情報を撮影画像の所定位置に映し込み、その状態の画像を記録するようにしたが、撮影画像と各付加情報とを他の方法により合わせて記録させるようにしても構わない。例えば、前記フラッシュメモリ８内のメモリ空間を、図４に示すように画像番号８１、画像データ８２、年月日／時分８３、地名８４、受信情報８５等の各記憶エリアに分割しておき、撮影時には、撮像した撮影画像データを画像エリア８２に、ＧＰＳモジュール１４又は時計部１６によって取得した年月日及び時分データを年月日／時分エリア８３に、地名メモリ１５から検索した地名データを地名エリア８４に、ＦＭ多重受信部１３によって受信した文字データを受信情報エリア８５に、それぞれ対応させて記録するようにしても構わない。そして、かかる記録方法を採用した場合には、撮影後における撮影画像の表示時に、撮影画像データと、それと対応する各データとを併せて読み出すとともに、それらを合成する処理を行わせれば、図３に示したような付加情報の映し込まれた画像がＴＦＴ液晶モニター１２に表示できる。また、付加情報を撮影画像とは別に表示させてもよい。
【００２３】
なお、前述したように撮影画像と各付加情報とを個別のデータとして記録する場合、ＦＭ多重受信部１３によって取得する撮影地域の天気情報（文字データ）については、必ずしも撮影を行った時点で取得して記録する必要はなく、一度撮影画像を記録する処理を終了した後、続けて天気情報の受信及び記録処理を行わせても構わない。
【００２４】
また、本実施の形態では、撮影時にＧＰＳデータが受信可能であれば、受信したＧＰＳデータから撮影時の年月日及び時分データを取得し、それを撮影画像と合わせて記録する構成であるため、前述した時計部１６がなくとも、多くの場合、撮影時の年月日及び時分データを取得することができる。したがって、時計部１６を廃止することにより、年月日及び時分データの保持に要するバックアップ電源を不要とすることができる。同時に、バックアップ電源の交換に伴う、年月日及び時分の煩雑な設定作業も不要にすることができる。
【００２５】
［第２の実施の形態］
次に、本発明にかかる第２の実施の形態を説明する。本実施の形態は、図１に示した構成において地名メモリ１５が廃止された構成を有するデジタルカメラと、図５に示したような文字情報データ、すなわち複数の地域の天気情報に緯度／経度データａが付加された文字情報データｂからなる文字放送番組を送信する施設を備えた送信局、例えば一般のＦＭ放送局とからなるシステムに関するものである。かかるシステムにおいては、前記デジタルカメラに、撮影時に以下の動作を行わせることにより、撮影場所と密接な内容の関係情報とからなる付加情報が映し込まれた画像が得られる。すなわち、撮影に際してシャッターが押下されたら、ＧＰＳモジュール１４によってＧＰＳデータを受信させ、受信したＧＰＳデータから緯度／経度を検出した後、ＦＭ多重受信部１３によって、検出した緯度／経度が付加された天気情報を選択させるとともに、その天気情報を受信させる。しかる後、受信した天気情報、年月日及び時分等の付加情報を撮影画像に映し込み保存させる。
【００２６】
したがって、本実施の形態によれば、地名メモリ１５を有していないデジタルカメラを使用したとしても、第１の実施の形態で示したデジタルカメラ１を使用する場合と同様に、撮影後における撮影画像の付加価値を高めることが可能となる。しかも、デジタルカメラの低コスト化が図れる。なお、本実施の形態においてもデジタルカメラが撮影画像と各付加情報とを個別のデータとして記録するものであってもよく、さらに、一度撮影画像を記録する処理を終了した後、続けて天気情報の受信及び記録処理を行うものであっても構わない。
【００２７】
なお、撮影画像と合わせて記録する天気情報は、ＦＭ放送電波の文字放送番組以外の情報であっても構わない。例えば、前記送信局がＰＨＳのサービスセンターである場合には、そのサービスセンターから無線電話回線を介して送られてくる情報であってもよい。その場合には、前記デジタルカメラ側に、ＦＭ多重受信部１３に代えて、前記無線電話回線の使用を可能とする送受信部を設ければよい。更にその場合には、次のようなシステムとすることもできる。すなわち、デジタルカメラにおけるＧＰＳモジュール１４を廃止するとともに、撮影時には、デジタルカメラにおいて、送受信部により前述したＰＨＳの公衆基地局の識別情報であるＣＳ−ＩＤ等を取得した後、ＰＨＳのサービスセンターへアクセスして、取得したＣＳ−ＩＤ等を送る。これに応じて、ＰＨＳのサービスセンター側が、送られたＣＳ−ＩＤ等に対応する場所を検索するとともに、ＣＳ−ＩＤ等に対応する場所（又は地域）の天気情報をデジタルカメラに送信する。そして、デジタルカメラが、送信された天気情報を受信するとともに、付加情報として撮影画像と合わせて記憶する。かかるシステムにおいても、シャッターを押すだけで、撮影画像と撮影場所の天気情報とを合わせて記録できるため、撮影した画像を見る際の楽しみが増え、撮影後における撮影画像の付加価値を高めることが可能となる。
【００２８】
［第３の実施の形態］
次に、本発明にかかる第３の実施の形態を説明する。本実施の形態は、図１に示した構成においてＧＰＳモジュール１４、ＧＰＳアンテナ１８、地名メモリ１５が廃止された構成を有するデジタルカメラと、所定の文字放送番組を送信する施設を備えた送信局とからなるシステムに関するものである。前記所定の文字放送番組としては、例えば図６に示したような文字情報データ、すなわち観光情報チャンネルを示す番組ヘッダデータｃと、複数の観光スポットに関する番組データｄ１，ｄ２，ｄ３・・・（例えば、名所案内や施設案内等）とからなる文字放送番組である。また、前記送信局としては、例えば一般のＦＭ放送局、スキー場や遊園地のような限られた場所の受信者に向けた放送を行う所謂ミニＦＭ局である。そして、かかるシステムにおいては、前記デジタルカメラに、図７のフローチャートに示した撮影処理を行わせることにより、撮影場所と密接な内容の関係情報が映し込まれた画像が得られる。
【００２９】
すなわち、シャッターが押下されたら（ステップＳＢ１でＹＥＳ）、画像取り込みを行い、ＣＣＤ２により撮像されてデジタル化された撮影画像データを一旦ＤＲＡＭ７に記憶する（ステップＳＢ２）。次に、例えばＴＦＴ液晶モニタ１２に所定のメッセージを表示する等によって観光情報を受信するか否かを撮影者に選択させ、受信が選択されなければ（ステップＳＢ３でＮＯ）、そのままＤＲＡＭ７に記憶しておいた撮影画像をフラッシュメモリ８に記録し（ステップＳＢ４）、撮影処理を終了する。一方、観光情報の受信が選択されときには、ＦＭ多重受信部１３によって受信周波数を前述した所定の送信局（放送局）に設定するとともに前記観光情報チャンネルの受信動作を行い（ステップＳＢ５）、もし番組の受信ができなければ（ステップＳＢ６でＮＯ）、前述したステップＳＢ４の処理を行う。
【００３０】
ここで、観光情報チャンネルが受信できたときには、例えば図８に示したような観光スポットの選択画面ＥをＴＦＴ液晶モニタ１２に表示し、撮影者に所望の観光スポット、すなわち撮影場所である名所や施設に対応する観光スポットを選択させる（ステップＳＢ７）。なお、ここでの選択は、前記キー入力部１１の所定のキーを操作することによる画面上のカーソル移動により行わせる。そして、選択が終了したら（ステップＳＢ８でＹＥＳ）、選択された観光スポットの番組内容である名所案内や施設案内等すなわち文字データを、ステップＳＢ２でＤＲＡＭ７に記憶しておいた撮影画像データに合成する処理を行い、撮影画像の所定位置に前記文字データを映し込んだ画像をフラッシュメモリ８に記録し（ステップＳＢ９）、撮影処理を終了する。
【００３１】
したがって、本実施の形態のシステムによれば、撮影場所と密接な内容の関係情報である名所案内や施設案内等の付加情報が映し込まれた画像が得られ、撮影した画像を見る際の楽しみが増え、撮影後における撮影画像の付加価値を高めることが可能となる。また、使用者は、所望する内容の名所案内や施設案内等だけを付加情報として撮影画像と合わせて記録することができる。このため、例えば、前記観光情報チャンネルの放送を、互いに近接して多数の観光スポットが存在する地域を対象として行う場合であっても、放送局側では多数の観光スポットに関する番組を一括して放送することができる。また、受信者であるデジタルカメラの使用者にとっても、より細かな番組内容を取得することができ都合がよい。
【００３２】
なお、本実施の形態においても、デジタルカメラが撮影画像と前記各付加情報とを個別のデータとして記録するものであってもよく、更にその場合には、一度撮影画像を記録する処理を終了した後、観光情報チャンネルの受信を行うとともに、使用者に希望する観光スポットの選択操作を行わせ、選択された観光スポットの番組内容を撮影画像と対応させて記録させるようにしてもよい。また、撮影画像と合わせて記録する天気情報や名所案内や施設案内等の関係情報は、ＦＭ放送電波の文字放送番組以外の情報であってもよい。すなわち、例えば第２の実施の形態で説明したように、例えば前記送信局をＰＨＳのサービスセンターとすれば、サービスセンターから無線電話回線を介して送られてくる情報であってもよく、その場合には、前記デジタルカメラ側に、ＦＭ多重受信部１３に代えて、前記無線電話回線の使用を可能とする送受信部を設ければよい。
【００３３】
また、以上説明した実施の形態においては、主として本発明をデジタルカメラに採用した場合を示したが、本発明は撮影画像及び付加情報を銀塩フィルムに記憶する他のカメラに採用することもでき、その場合においても同様の効果が得られる。また、撮影画像と合わせて記録する関係情報としては、天気情報や、名所案内や施設案内等を例示したが、これ以外にも、撮影場所に関係する情報であれば他の情報であっても構わない。
【００３４】
【発明の効果】
以上説明したように本発明のカメラにおいては、撮影に伴い、撮影場所と密接な内容の付加情報が撮影画像と合わせて記録されるようにした。よって、撮影後における撮影画像の付加価値を高めることが可能となる。
【００３５】
さらに、本発明の付加情報記録システムにおいては、付加情報として記録される関係情報に場所を特定する場所情報を付加して送信する送信局と、カメラとで構成することにより、カメラ側は撮影場所を特定する場所情報を取得するだけで、撮影場所と密接な内容の付加情報が受信可能となるようにした。よって、カメラ側の構成を簡単にすることができ、カメラの低コスト化が図れる。
【００３６】
また、本発明の他の付加情報記録システムにおいては、カメラは、撮影に伴い、送信局から送られてくる場所と関係する複数の関係情報を受信し、受信した複数の関係情報の中から使用者の所望する関係情報を撮影場所と密接な内容の付加情報として撮影画像と合わせて記録する。よって、使用者は、所望する内容の関係情報だけを付加情報として撮影画像と合わせて記録することができるため、送信局側では、互いに近接する複数の場所に関係する複数の関係情報を、前記複数の場所が存在する地域を対象として送信する場合には、それらを一括して送信できる利点がある。また、送信者であるカメラの使用者にとっても、より細かな関係情報を取得することができ都合がよい。
【００３７】
【図面の簡単な説明】
【図１】本発明の第１の実施の形態を示すデジタルカメラのブロック図である。
【図２】デジタルカメラにおける撮影処理の動作手順を示すフローチャートである。
【図３】付加情報が映し込まれた状態の撮影画像の一例を示す説明図である。
【図４】撮影画像と付加情報とを個別に記録する場合のフラッシュメモリの構成を示す模式図である。
【図５】本発明の第２の実施の形態において、ＦＭ放送波に多重化されて送られてくる文字情報のデータ構成を示す模式図である。
【図６】本発明の第３の実施の形態において、ＦＭ放送波に多重化されて送られてくる文字情報のデータ構成を示す模式図である。
【図７】同実施の形態におけるデジタルカメラにおける撮影処理の動作手順を示すフローチャートである。
【図８】同実施の形態における観光情報の番組選択画面を示す図である。
【符号の説明】
２    ＣＣＤ
３    ＭＰＵ
７    ＤＲＡＭ
８    フラッシュメモリ
１１    キー入力部
１３    ＦＭ多重受信部
１４    ＧＰＳモジュール
１５    地名メモリ
【図１】
0004240619.tif 000002
【図２】
0004240619.tif 000003
【図３】
0004240619.tif 000004
【図４】
0004240619.tif 000005
【図５】
0004240619.tif 000006
【図６】
0004240619.tif 000007
【図７】
0004240619.tif 000008
【図８】
0004240619.tif 000009